(57)【要約】【課題】  アンテナ形成済シートにインターポーザーを迅速かつ確実に実装する。【解決手段】  第１非導電体シート１１と、拡大電極１２と、ＩＣチップ２０とからなるインターポーザー２０ａを準備する。第２非導電体シート２１と、複数のアンテナ２４とを有するアンテナ形成済シート２５の各アンテナ２４上にインターポーザー２０ａを搭載する。アンテナ形成済シート２５とインターポーザー２０ａを受ローラ４０と超音波ローラ３３との間で押圧して挟持する。超音波ローラ３３から超音波振動をインターポーザ２０ａ側に与えると、インターポーザー２０ａの第１非導電体シート１１が除去され、アンテナ２４と拡大電極１２とが接合される。【選択図】  図１
2006079258.tif 000002
【特許請求の範囲】
【請求項１】
第１非導電体シートと、第１導電体からなる拡大電極と、ＩＣチップとを有する複数のインターポーザーを、第２非導電体シートと、第２導電体からなる複数のアンテナとを有し帯状に延びるアンテナ形成済シート上に実装するインターポーザーの実装方法において、
アンテナ形成済シートの各アンテナ上にインターポーザーを順次搭載する工程と、
超音波ローラと受ローラとによってアンテナ形成済シート及びインターポーザーを押圧して、超音波ローラに超音波振動を与えることによりインターポーザーの拡大電極とアンテナ形成済シートのアンテナとを接合させる工程と、を備えたことを特徴とするインターポーザーの実装方法。
【請求項２】
第１非導電体シートと、第１導電体からなる拡大電極と、ＩＣチップとを有する複数のインターポーザーを、第２非導電体シートと、第２導電体からなる複数のアンテナを有し、帯状に延びるアンテナ形成済シート上に実装するインターポーザーの実装装置において、
アンテナ形成済シートを搬送するアンテナ形成済シート搬送装置と、
アンテナ形成済シートの各アンテナ上に、インターポーザを一定ピッチで順次搭置するインターポーザー搭載装置と、
超音波ローラと、この超音波ローラとの間でアンテナ形成済シートおよびインターポーザを押圧する受ローラとを備え、
超音波ローラからの超音波振動により、インターポーザーの拡大電極とアンテナ形成済シートのアンテナとを接合することを特徴とするインターポーザーの実装装置。
【請求項３】
超音波ローラおよび受ローラは、各々アンテナ形成済シートの搬送方向に直交する回転軸を中心として回動することを特徴とする請求項２記載のインターポーザーの実装装置。
【請求項４】
超音波ローラは、その外周にインターポーザーの搭載ピッチと同一ピッチで形成された超音波突起を有することを特徴とする請求項２または３のいずれか記載のインターポーザーの実装装置。
【請求項５】
受ローラは、その外周にインターポーザーの搭載ピッチと同一ピッチで形式された受突起を有することを特徴とする請求項２または３のいずれか記載のインターポーザーの実装装置。
【請求項６】
超音波ローラおよび受ローラは、いずれもその外周にインターポーザーの搭載ピッチと同一ピッチで形成された超音波突起および受突起を各々有し、これら超音波突起と受突起は互いに押圧し合う位置に設けられていることを特徴とする請求項２または３のいずれか記載のインターポーザーの実装装置。
【請求項７】
超音波ローラは偏心ローラとなっており、インターポーザーの搭載ピッチと同一の円周方向ピッチで受ローラと押圧し合うことを特徴とする請求項２または３のいずれか記載のインターポーザーの実装装置。
【請求項８】
受ローラは偏心ローラとなっており、インターポーザーの搭載ピッチと同一円周方向ピッチで超音波ローラと押圧し合うことを特徴とする請求項２または３のいずれか記載のインターポーザーの実装装置。
【請求項９】
超音波ローラおよび受ローラは、いずれも偏心ローラとなっており、インターポーザーの搭載ピッチと同一円周方向ピッチで互いに押圧し合う位置に設けられていることを特徴とする請求項２または３のいずれか記載のインターポーザーの実装装置。
【請求項１０】
第１非導電体シートと、第１導電体からなる拡大電極と、ＩＣチップとを有する複数のインターポーザーと、
これらインターポーザーを保持するとともに、第２非導電体シートと、第２導電体からなる複数のアンテナとを有し、帯状に延びるアンテナ形成済シートとを備え、
インターポーザーの拡大電極とアンテナ形成済シートのアンテナとが接合し、インターポーザーまたはアンテナ形成済シートのいずれか一方の面に、拡大電極とアンテナとの接合部を通過するよう超音波ローラのローレット面の跡がアンテナ形成済シートに沿って連続して形成されていることを特徴とする非接触ＩＣタグ付シート。
【請求項１１】
第１非導電体シートと、第１非導電体からなる拡大電極と、ＩＣチップとを有するインターポーザーと、
インターポーザーを保持するとともに、第２非導電体シートと、第２導電体からなるアンテナとを有するアンテナ形成済シートとを備え、
インターポーザーの拡大電極とアンテナ形成済シートのアンテナとが接合し、インターポーザーまたはアンテナ形成済シートのいずれか一方の面に、拡大電極とアンテナとの接合部を通過するよう超音波ローラのローレット面の跡が形成されていることを特徴とする非接触ＩＣタグ。
【発明の詳細な説明】
【技術分野】
【０００１】
本発明は、外部のリーダ・ライタと非接触でデータの授受を行うことが出来る非接触ＩＣタグを有する非接触ＩＣタグ付きシートを製造するためのインターポーザーの実装方法およびインターポーザーの実装装置に関する。
【背景技術】
【０００２】
従来より外部のリーダ・ライタと非接触でデータの授受を行う非接触ＩＣタグは、ＩＣチップとアンテナを有しており、このような非接触ＩＣタグは基材シートに設けられ、このようにして非接触ＩＣタグ付きシートが得られる。この場合、予めＩＣチップと一対の拡大電極とを有するインターポーザーを準備しておき、このインターポーザーを基材シートのアンテナ上に実装することにより非接触ＩＣタグ付きシートを製造する方法がある（例えば特許文献１参照）。
【０００３】
上述のように、インターポーザーは一対の拡大電極と、各々が異なる拡大電極に接合された一対のバンプを有するＩＣチップとを有しており、インターポーザーの各拡大電極はアンテナの異なる接点に電気的に接続されている。また、アンテナの形状は、ＩＣタグとリーダ・ライタとの間でデータの送受信を行う際の電磁波の周波数によって決定される。
【０００４】
なお、リーダ・ライタとデータを送受信する際に用いられる電磁波の周波数帯によっては、インターポーザー自体を非接触ＩＣタグとして用いることが出来る。この場合、一対の拡大電極がアンテナとして機能するが、最終的な製品または製品を包装する包装体への実装を容易にするため、一対の拡大電極をアンテナ形成済シートのアンテナに接合することもある。本願におけるインターポーザーという用語は、このようにそれ自体が非接触ＩＣタグとして機能するインターポーザーを含んだ概念である。
【特許文献１】特開２００３−２８１４９１号公報
【発明の開示】
【発明が解決しようとする課題】
【０００５】
上述した特許文献１に記載の製造方法においては、インターポーザーを作製した後、第１搬送装置および第２搬送装置の２段階の搬送ステップと経てインターポーザーを基材シートのアンテナ上に配置してインターポーザーをアンテナ上に実装している。
【０００６】
このような場合、インターポーザーを基材シートのアンテナ上に迅速にかつ確実に実装することが求められている。
【０００７】
本発明はこのような点を考慮してなされたものであり、インターポーザーの基材シートへの実装作業を連続的にかつ確実に行うことができるインターポーザーの実装方法およびインターポーザーの実装装置を提供することを目的とする。
【課題を解決するための手段】
【０００８】
本発明は、第１非導電体シートと、第１導電体からなる拡大電極と、ＩＣチップとを有する複数のインターポーザーを、第２非導電体シートと、第２導電体からなる複数のアンテナとを有し帯状に延びるアンテナ形成済シート上に実装するインターポーザーの実装方法において、アンテナ形成済シートの各アンテナ上にインターポーザーを順次搭載する工程と、インターポーザー側に設けられた超音波ローラと、アンテナ形成済シート側に設けられた受ローラとによってアンテナ形成済シート及びインターポーザーを押圧して、超音波ローラによりインターポーザーの拡大電極とアンテナ形成済シートのアンテナとを接合させることを特徴とするインターポーザーの実装方法である。
【０００９】
本発明は、インターポーザーの拡大電極とアンテナ形成済シートのアンテナとを接合させる際、超音波ローラに超音波振動を与えてインターポーザーの第１非導電体シートを除去することにより拡大電極とアンテナとを接合させることを特徴とするインターポーザーの実装方法である。
【００１０】
本発明は、第１非導電体シートと、第１導電体からなる拡大電極と、ＩＣチップとを有する複数のインターポーザーを、第２非導電体シートと、第２導電体からなる複数のアンテナを有し、帯状に延びるアンテナ形成済シート上に実装するインターポーザーの実装装置において、アンテナ形成済シートを搬送するアンテナ形成済シート搬送装置と、アンテナ形成済シートの各アンテナ上に、インターポーザを一定ピッチで順次搭置するインターポーザー搭載装置と、インターポーザー側に設けられた超音波ローラと、アンテナ形成済シート側に設けられ超音波ローラとの間でアンテナ形成済シートおよびインターポーザを押圧する受ローラとを備え、超音波ローラからの超音波振動により、インターポーザーの第１非導電体シートを除去してインターポーザーの拡大電極とアンテナ形成済シートのアンテナとを接合することを特徴とするインターポーザーの実装装置である。
【００１１】
本発明は、超音波ローラおよび受ローラは、各々アンテナ形成済シートの搬送方向に直交する回転軸を中心として回動することを特徴とするインターポーザーの実装装置である。
【００１２】
本発明は、超音波ローラは、その外周にインターポーザーの搭載ピッチと同一ピッチで形成された超音波突起を有することを特徴とするインターポーザーの実装装置である。
【００１３】
本発明は、受ローラは、その外周にインターポーザーの搭載ピッチと同一ピッチで形成された受突起を有することを特徴とするインターポーザーの実装装置である。
【００１４】
本発明は、超音波ローラおよび受ローラは、いずれもその外周にインターポーザーの搭載ピッチと同一ピッチで形成された超音波突起および受突起を各々有し、これら超音波突起と受突起は互いに押圧し合う位置に設けられていることを特徴とするインターポーザーの実装装置である。
【００１５】
本発明は、超音波ローラは偏心ローラとなっており、インターポーザーの搭載ピッチと同一の円周方向ピッチで受ローラと押圧し合うことを特徴とするインターポーザーの実装装置である。
【００１６】
本発明は、受ローラは偏心ローラとなっており、インターポーザーの搭載ピッチと同一円周方向ピッチで超音波ローラと押圧し合うことを特徴とするインターポーザーの実装装置である。
【００１７】
本発明は、超音波ローラおよび受ローラは、いずれも偏心ローラとなっており、インターポーザーの搭載ピッチと同一円周方向ピッチで互いに押圧し合う位置に設けられていることを特徴とするインターポーザーの実装装置である。
【００１８】
本発明は、第１非導電体シートと、第１導電体からなる拡大電極と、ＩＣチップとを有する複数のインターポーザーと、これらインターポーザーを保持するとともに、第２非導電体シートと、第２導電体からなる複数のアンテナとを有し、帯状に延びるアンテナ形成済シートとを備え、インターポーザーの拡大電極とアンテナ形成済シートのアンテナとが接合し、インターポーザーまたはアンテナ形成済シートのいずれか一方の面に、拡大電極とアンテナとの接合部を通過するよう超音波ローラのローレット面の跡がアンテナ形成済シートに沿って連続して形成されていることを特徴とする非接触ＩＣタグ付シートである。
【００１９】
本発明は、第１非導電体シートと、第１非導電体からなる拡大電極と、ＩＣチップとを有するインターポーザーと、インターポーザーを保持するとともに、第２非導電体シートと、第２導電体からなるアンテナとを有するアンテナ形成済シートとを備え、インターポーザーの拡大電極とアンテナ形成済シートのアンテナとが接合し、インターポーザーまたはアンテナ形成済シートのいずれか一方の面に、拡大電極とアンテナとの接合部を通過するよう超音波ローラのローレット面の跡が形成されていることを特徴とする非接触ＩＣタグである。
【発明の効果】
【００２０】
本発明によれば、ＩＣチップと拡大電極とを有するインターポーザーをアンテナ形成済シート上に連続的にかつ確実に実装することができる。これにより非接触ＩＣタグ付シートを容易かつ簡単に製造することができる。
【発明を実施するための最良の形態】
【００２１】
以下、図面を参照して本発明の実施の形態について説明する。
【００２２】
図１乃至図４は、本発明によるインターポーザーの実装方法およびインターポーザーの実装装置の実施の形態を示す図である。
【００２３】
まず図４（ａ）（ｂ）により非接触ＩＣタグ付シートについて説明する。非接触ＩＣタグ付シート１０は紙製またはポリエチレン（ＰＥ）、塩化ビニル（ＰＶＣ）、ＡＢＳ等のプラスチック製の基材シート（第２の非導電体シートともいう）２１と、基材シート２１上に予め設けられた複数のアンテナ２４と、アンテナ２４上に搭載されて実装されたインターポーザー２０ａとを備えている。
【００２４】
このうちインターポーザー２０ａは、ポリエチレン（ＰＥ）、塩化ビニル（ＰＶＣ）、ＡＢＳ等のプラスチック製の第１非導電体シート１１と、この第１非導電体シート１１に設けられた第１導電体からなる一対の拡大電極１２と、拡大電極１２に接続されたＩＣチップ２０とを有している。この場合、ＩＣチップ２０はバンプ２０ｂを介して拡大電極１２に接続されている。
【００２５】
このようなインターポーザー２０ａは後述のようにＩＣチップ実装済シート１５を打ち抜くことにより予め作製され（図２）、基材シート２１と複数のアンテナ２４とからなる被搭載体としての帯状アンテナ形成済シート２５上に配置される。
【００２６】
図４（ａ）（ｂ）において、インターポーザー２０ａはまずアンテナ形成済シート２５のアンテナ２４上に配置される（図４（ａ））。アンテナ２４の両端には、アンテナパッド２４ａが形成され、インターポーザー２０ａはアンテナ２４を跨り、かつインターポーザー２０ａの両端部４２はアンテナパッド２４ａ上にある。
【００２７】
次に後述のようにインターポーザー２０ａの両端部４２とアンテナ形成済シート２５とを超音波ローラ３０と受ローラ４０との間で押圧することにより、両端部４２に対応する第１非導電体シート１１を除去して、拡大電極１２とアンテナ２４のアンテナパッド２４ａとが接合される（図４（ｂ））。このようにして非接触ＩＣタグ付シート１０が得られる。
【００２８】
なお、図４（ａ）において、インターポーザー２０ａをアンテナ形成済シート２５上に配置する前に、予めインターポーザー２０ａの第１非導電体シート１１裏面または、アンテナパッド２４ａ上に接着材料を塗布しておいて、アンテナ形成済シート２５とインターポーザー２０ａとを仮接合しておくことが好ましい。
【００２９】
上記のように構成される非接触ＩＣタグ付シート１０は、後工程においてアンテナ２４単位で打ち抜かれ、このようにして基材シート２１と、アンテナ２４と、ＩＣチップ２０を含むインターポーザー２０ａとを有する非接触ＩＣタグ１０ａが得られる。
【００３０】
次に図１および図２によりアンテナ形成済シート２５上にインターポーザー２０ａを実装するインターポーザーの実装装置およびインターポーザーの実装方法について説明する。
【００３１】
インターポーザーの実装装置は、第２非導電体シート２１と、この非導電体シート２１上に配置され両端部にアンテナパッド２４ａを有する複数のアンテナ２４とからなるアンテナ形成済シート２５を供給しかつ巻取る供給ロール３１および巻取ロール３２と、アンテナ形成済シート２５の各アンテナ２４上に複数のインターポーザー２０ａを一定ピッチで順次搭載するインターポーザー搭載装置３０とを備えている。この場合、アンテナ形成済シート２５の供給ロール３１と巻取ロール３２とによりアンテナ形成済シート搬送装置が構成される。
【００３２】
なお、インターポーザー２０ａは、図２に示すように、第１非導電体シート１１と、第１非導電体シート１１上に間隙１２ａを開けて設けられた一対の導電体１２と、一対の導電体１２上に設けられた複数のＩＣチップ２０とからなるＩＣチップ実装済シート１５を準備し、このＩＣチップ実装済シート１５をＩＣチップ２０毎に打抜くことにより得られる。ＩＣチップ実装済シート１５を打抜いて得られたインターポーザー２０ａは、上述のようにインターポーザー搭載装置３０によって、アンテナ形成済シート２５上に搭載される。
【００３３】
この場合、アンテナ形成済シート２５上に、アンテナ２４が一定ピッチで設けられているので、これに合わせてインターポーザー２０ａもアンテナ２４のピッチと同一の一定ピッチでアンテナ形成済シート２５上に搭載される。
【００３４】
また、図１および図２に示すように、アンテナ形成済シート２５の搬送方向Ｌ１に沿って、インターポーザー搭載装置３０よりも下流側に超音波ローラ３３と、受ローラ４０とが配置されている。
【００３５】
このうち超音波ローラ３３は、アンテナ形成済シート２５と、このアンテナ形成済シート２５上に搭載されたインターポーザー２０ａのうち、インターポーザー２０ａ側に配置され、受ローラ４０はアンテナ形成済シート２５の第２非導電体シート２１側に配置されている。超音波ローラ３３はその一側面において、カップリング３６を介してモータ３７に連結され、このモータ３７によって回動する。また超音波ローラ３３はその他側面において、超音波エンジン３５に連結され、この超音波エンジン３５から超音波ローラ３３に対してアンテナ形成済シート２５の搬送方向Ｌ１に直交する方向Ｌ２に沿って超音波振動が与えられる。
【００３６】
超音波ローラ３５は、その外周にローレット面３４を有し、超音波ローラ３３はローレット面３４により、より効果的に超音波振動をインターポーザー２０ａ側に伝えることができる。
【００３７】
超音波ローラ３３および受けローラ４０は、いずれも回転軸３３ａ、４０ａを中心として回動する円盤状をなし、アンテナ形成済シート２５とインターポーザー２０ａを超音波ローラ３３および受ローラ４０との間で押圧するようになっている。そして超音波ローラ３３からの超音波振動がインターポーザー２０ａに伝達され、インターポーザ２０ａの第１非導電体シート１１が除去され、アンテナ形成済シート２５のアンテナパッド２４ａとインターポーザー２０ａの拡大電極１２とが接合するようになっている。
【００３８】
次にこのような構成からなる本実施の形態の作用について説明する。
【００３９】
まず図２に示すように、ＩＣチップ実装済シート１５がＩＣチップ２０毎に打抜かれ、インターポーザー２０ａが作製される。この場合、インターポーザー２０ａを予め作製しておき、このインターポーザー２０ａをシート上に貼り付け、このシートから各インターポーザー２０ａを剥離してもよい。
【００４０】
一方、アンテナ形成済シート２５が供給ロール３１から繰り出され、巻取ロール３２に巻取られる。この間、インターポーザー２０ａがインターポーザー搭載装置３０によってアンテナ形成済シート２５のアンテナ２４上に載置される。
【００４１】
この場合、インターポーザー２０ａはアンテナ２４を跨ってアンテナ形成済シート２５上に搭載され、インターポーザー２０の両端部４２がアンテナ２４のアンテナパッド２４ａ上に配置される（図４（ａ））。
【００４２】
次にインターポーザー２０ａが搭載されたアンテナ形成済シート２５が搬送方向Ｌ１に沿って搬送され、その後インターポーザー２０ａは超音波ローラ３３と受ローラ４０とが配置された箇所まで達する。この間、超音波ローラ３３は、モータ３７によってアンテナ形成済シート２５と同期して回動する。
【００４３】
アンテナ形成済シート２５およびインターポーザー２０は、超音波ローラ３３まで達した後もなお、連続的に搬送される。
【００４４】
この間、アンテナ形成済シート２５とインターポーザー２０ａは超音波ローラ３３と受ローラ４０との間で挟持して押圧されている（図４（ａ））。また超音波ローラ３３に対して、超音波エンジン３５から矢印Ｌ２方向に沿って超音波振動が連続的に加えられる。この場合、超音波ローラ３３と受けローラ４０は、インターポーザー２０ａの両端部４２，４２のうち一方の端部４２に対応する部分に位置し、この一端部４２においてアンテナ形成済シート２５とインターポーザー２０ａとを押圧している。このため超音波ローラ３３からの超音波振動によって、インターポーザー２０ａの一端部４２に対応する第１非導電体シート１１が除去され、アンテナ形成済シート２５のアンテナパッド２４ａとインターポーザー２０ａの拡大電極１２とが接合する（図４（ｂ））。この場合、アンテナパッド２４ａと拡大電極１２とが直接的かつ堅固に接合され、アンテナパッド２４ａと拡大電極１２との導通抵抗が飛躍的に改善される。
【００４５】
超音波エンジン３５からの超音波振動はそのまま連続して超音波ローラ３３に対して与えられ、アンテナ形成済シート２５とインターポーザー２０ａとが更に矢印Ｌ１方向に搬送される。
【００４６】
その後、アンテナ形成済シート２５とインターポーザー２０ａは、図示しない下流側の超音波ローラおよび受ローラまで搬送される（図４（ａ））。アンテナ形成済シート２５とインターポーザー２０ａとが、下流側の超音波ローラおよび受ローラまで送られると、上述と同様にして、インターポーザー２０ａの他端部４２において、超音波ローラからの超音波振動によって、インターポーザー２０ａの他端部４２に対応する第１非導電体シート１１が除去され、アンテナ形成済シート２５のアンテナパッド２４ａとインターポーザー２０ａの拡大電極１２とが接合する（図４（ｂ））。
【００４７】
このようにして、第２非導電体シート（基材シート）２１と、第２非導電体シート２１上のアンテナ２４と、アンテナ２４のアンテナパッド２４ａ上に接合されたインターポーザー２０ａとからなる非接触ＩＣタグ付シート１０が得られる。
【００４８】
この場合、非接触ＩＣタグ付シート１０のインターポーザー２０ａの表面には、アンテナ２４のアンテナパッド２４ａと、インターポーザー２０ａの拡大電極１２との接合部４２ａを通過するよう超音波ローラ３３のローレット面３４の跡３４ａが連続して形成されている。
【００４９】
また、非接触ＩＣタグ付シート１０をアンテナ２４毎に打抜いて非接触ＩＣタグ１０ａを製造した場合、アンテナ２４のアンテナパッド２４ａとインターポーザー２０ａの接合電極１２との接合部４２ａを通過するローレット面３４の跡３４ａは非接触ＩＣタグ１０ａにも残る。
【００５０】
なお、上記実施の形態において、超音波ローラ３３をインターポーザー２０ａ側に配置し、受ローラ４０をアンテナ形成済シート２５側に配置した例を示したが、超音波ローラ３３をアンテナ形成済シート２５側に配置するとともに、受ローラ４０をインターポーザー２０ａ側に配置してもよい。
【００５１】
さらに上流側にインターポーザー２０ａの一端部４２をアンテナ２４に接合する超音波ローラ３３および受ローラ４０を設け、下流側にインターポーザー２０ａの他端部４２をアンテナ２４に接合する超音波ローラ３３および受ローラ４０を設けた例を示したが、インターポーザー２０ａの一端部４２と他端部４２を各々接合するため、一対の超音波ローラ３３，３３を同一回転軸３３ａ上に取付け、各超音波ローラ３３，３３に対応して同一回転軸４０ａ上に一対の受ローラ４０，４０を取付けてもよい。
【００５２】
以上のように本実施の形態によれば、帯状のアンテナ形成済シート２５を連続して搬送するとともに、このアンテナ形成済シート２５上にインターポーザー２０ａを搭載し、インターポーザー２０ａとアンテナ形成済シート２５とを超音波ローラ３３と受ローラ４０との間で押圧して挟持する。次に、超音波ローラ３３からインターポーザー２０ａに超音波振動を与えることにより、インターポーザー２０ａをアンテナ形成済シート２５のアンテナ２４上に精度良く実装することができ、非接触ＩＣタグ付きシート１０を迅速かつ確実に製造することができる。
【００５３】
次に、本発明の変形例について図３（ａ）（ｂ）（ｃ）（ｄ）により説明する。
【００５４】
図１および図２において、ローレット面３４を有し回転軸３３ａを中心として回動する円盤状の超音波ローラ３３と、回転軸４０ａを中心として回動する円盤状の受ローラ４０とによってアンテナ形成済シート２５とインターポーザー２０ａとを押圧する例を示したが、これに限らず、円盤状の超音波ローラ３３と、複数の受突起４１を有する受ローラ４０との間でアンテナ形成済シート２５とインターポーザー２０ａとを押圧してもよい（図３（ａ））。
【００５５】
図３（ａ）において、受ローラ４０の受突起４１は、アンテナ形成済シート２５上に搭載されたインターポーザー２０ａの搭載ピッチと同一ピッチで設けられている。
【００５６】
図３（ａ）において、アンテナ形成済シート２５とインターポーザー２０ａとを矢印Ｌ１方向に連続して搬送し、この間、超音波ローラ３３と受ローラ４０を連続回転させてもよい。超音波ローラ３３は、受ローラ４０とともに連続して回転し、同時に超音波エンジン３５により常時矢印Ｌ２方向に超音波振動している。
【００５７】
図３（ａ）において、受ローラ４０の受突起４１はインターポーザー２０ａに対応する位置にくるようになっており、インターポーザー２０ａの一方の端部４２が超音波ローラ３３まで達すると、この端部４２が受突起４１と超音波ローラ３３との間で押圧され、超音波ローラ３３からの超音波振動によりインターポーザー２０ａの第１非導電シート１１が取除かれ拡大電極１２とアンテナ２４のアンテナパッド２４ａとが接合する。
【００５８】
図３（ｂ）に示す変形例は、回転軸３３ａを有する超音波ローラ３３の外周に超音波突起３８を設けるとともに、回転軸４０ａを有する受ローラ４０を円盤状に構成し、受ローラ４０と超音波ローラ３３との間でアンテナ形成済シート２５とインターポーザー２０ａとを押圧したものである。
【００５９】
図３（ｂ）において、超音波ローラ３３の超音波突起３８は、アンテナ形成済シート２５上に搭載されたインターポーザー２０ａの搭載ピッチと同一ピッチで設けられている。図３（ｂ）に示す超音波ローラ３３および受ローラ４０は、いずれも連続的に回転し、かつ超音波ローラ３３は常時超音波振動している。
【００６０】
なお、図３（ａ）に示す受突起４１を有する受ローラ４０と、図３（ｂ）に示す超音波突起３８を有する超音波ローラ３３とを組合せて使用してもよい。この場合、受突起４１と超音波突起３８とは互いに押圧し合う位置に設けられている。
【００６１】
図３（ｃ）に示す変形例は、回転軸３３ａを有する超音波ローラ３３と、偏心軸４０ｂを有する受ローラ４０との間でアンテナ形成済シート２５およびインターポーザー２０ａを押圧したものである。
【００６２】
図３（ｃ）において、偏心軸４０ｂを有する受ローラ４０は、一回転毎に超音波ローラ３３との間でアンテナ形成済シート２５およびインターポーザー２０ａを押圧する。すなわち、受ローラ４０は、インターポーザー２０ａの搭載ピッチと同一の円周方向ピッチで超音波ローラ３３側へ接近し、超音波ローラ３３との間でアンテナ形成済シート２５およびインターポーザー２０ａを押圧する。
【００６３】
図３（ｄ）に示す変形例は、回転軸４０ａを有する受ローラ４０と、偏心軸３３ｂを有する超音波ローラ３３との間でアンテナ形成済シート２５およびインターポーザー２０ａを押圧したものである。
【００６４】
図３（ｄ）において、偏心軸３３ｂを有する超音波ローラ３３は、一回転毎に受ローラ４０との間で、アンテナ形成済シート２５およびインターポーザー２０ａを押圧する。すなわち、超音波ローラ３３は、インターポーザー２０の搭載ピッチと同一の円周方向ピッチで受ローラ４０側へ接近し、超音波ローラ３３と受ローラ４０との間でアンテナ形成済シート２５およびインターポーザー２０ａを押圧する。
【００６５】
なお、図３（ｃ）に示す偏心軸４０ｂを有する受ローラ４０と、図３（ｄ）に示す偏心軸３３ｂを有する超音波ローラ３３とを組合せて使用してもよい。この場合、受ローラ４０と超音波ローラ３３は互いに押圧し合う位置に設けられている。
【００６６】
ところで、上記各実施の形態において、アンテナ形成済シート２５とインターポーザー２０ａとを超音波ローラ３３と受ローラ４０との間で押圧する場合、超音波ローラ３３はインターポーザー２０ａ側に配置され、受ローラ４０はアンテナ形成済シート２５側に配置されているが、上述のように超音波ローラ３３をアンテナ形成済シート２５側に配置し、受ローラ４０をインターポーザー２０ａ側に配置してもよい。
【００６７】
また上記各実施の形態において、インターポーザー２０ａのＩＣチップ２０はアンテナ２４と反対側を向いているが、インターポーザー２０ａのＩＣチップ２０がアンテナ２４側を向いていても良い。この場合、アンテナ２４とＩＣチップ２０との間に絶縁層が挿入される。
【図面の簡単な説明】
【００６８】
【図１】本発明によるインターポーザーの実装装置および実装方法の概略を示す図。
【図２】超音波ローラおよび受ローラを示す概略図。
【図３】本発明の変形例を示す図。
【図４】非接触ＩＣタグ付シートを示す側面図。
【符号の説明】
【００６９】
１０  非接触ＩＣタグ付きシート
１１  第１非導電体シート
１２  拡大電極
１５  ＩＣチップ実装済シート
２０  ＩＣチップ
２０ａ  インターポーザー
２１  第２非導電体シート
２４  アンテナ
２４ａ  アンテナパッド
２５  アンテナ形成済シート
３０  インターポーザー搭載装置
３１  供給ロール
３２  巻取ロール
３３  超音波ローラ
３３ａ  回転軸
３３ｂ  偏心軸
３４  ローレット面
３８  超音波突起
４０  受ローラ
４０ａ  回転軸
４０ｂ  偏心軸
４１  受突起
【図１】
2006079258.tif 000003
【図２】
2006079258.tif 000004
【図３】
2006079258.tif 000005
【図４】
2006079258.tif 000006